(57)【要約】【課題】筐体の振動抑制が図れる冷房送風装置を提供する。【解決手段】冷房送風装置の筐体は互いに対向して離間した位置に設置された一対の側面板１２，１３と一対の側面板１２，１３に隣接する位置の両端部１４０よりも中央部１４１の方が外方に位置する湾曲形状に全体的に形成された背面板１４とを含む。背面板１４は両端部１４０が一対の側面板１２，１３のそれぞれの固定板部１２０，１３０に外部から重なるように一対の側面板１２，１３に装着される。背面板１４は各両端部１４０に設けられた取付孔１４０ａが一対の側面板１２，１３のそれぞれにねじ１４４によって固定された装着状態において取付孔１４０ａに対して中央部１４１とは反対側に位置する両端部１４０の先端部分が側面板１２，１３に接触している。この構成により、背面板１４の両端部１４０が各側面板１２，１３の固定板部１２０，１３０に対して振動しないのでびびり音を抑制できる。【選択図】図１１
2018138857.tif 000002
【特許請求の範囲】
【請求項１】
蒸発器（２１）、凝縮器（２４）、圧縮機（２３）、送風装置（３０）、およびこれらの機器を収容する筐体（１０）を備えて、前記蒸発器を通過した空気を前記送風装置によって前記筐体の外部に吹き出す冷房送風装置であって、
前記筐体は、互いに対向して離間した位置に設置された一対の第１の外板（１２，１３）と、一対の前記第１の外板に隣接する位置の両端部（１４０）よりも中央部（１４１）の方が外方に位置する湾曲形状に全体的に形成された第２の外板であって前記両端部が一対の前記第１の外板のそれぞれの端部（１２０，１３０）に外部から重なるように一対の前記第１の外板に装着される第２の外板（１４）と、を含んでおり、
前記第２の外板は前記両端部のそれぞれに設けられた被固定部位（１４０ａ）が一対の前記第１の外板のそれぞれに固定具（１４４）によって固定された装着状態において、前記被固定部位に対して前記中央部とは反対側に位置する前記両端部の先端部分が前記第１の外板に接触している冷房送風装置。
【請求項２】
蒸発器（２１）、凝縮器（２４）、圧縮機（２３）、送風装置（３０）、およびこれらの機器を収容する筐体（１０）を備えて、前記蒸発器を通過した空気を前記送風装置によって前記筐体の外部に吹き出す冷房送風装置であって、
前記筐体は、互いに対向して離間した位置に設置された一対の第１の外板（１２，１３）と、一対の前記第１の外板に隣接する位置の両端部（１１４０）が平面をなす中央部（１１４１）に対して前記第１の外板に近づくように湾曲形状に形成された第２の外板であって前記両端部が一対の前記第１の外板のそれぞれの端部（１２０，１３０）に外部から重なるように一対の前記第１の外板に装着される第２の外板（１１４）と、を含んでおり、
前記第２の外板は前記両端部のそれぞれに設けられた被固定部位（１４０ａ）が一対の前記第１の外板のそれぞれに固定具（１４４）によって固定された装着状態において、前記被固定部位に対して前記中央部とは反対側に位置する前記両端部の先端部分が前記第１の外板に接触している冷房送風装置。
【請求項３】
蒸発器（２１）、凝縮器（２４）、圧縮機（２３）、送風装置（３０）、およびこれらの機器を収容する筐体（１０）を備えて、前記蒸発器を通過した空気を前記送風装置によって前記筐体の外部に吹き出す冷房送風装置であって、
前記筐体は、互いに対向して離間した位置に設置された一対の第１の外板（１２，１３）と、一対の前記第１の外板に隣接する位置の両端部（２１４０）が平面をなす中央部（２１４１）に対して前記第１の外板に近づくように屈曲する形状に形成された第２の外板であって前記両端部が一対の前記第１の外板のそれぞれの端部（１２０，１３０）に外部から重なるように一対の前記第１の外板に装着される第２の外板（２１４）と、を含んでおり、
前記第２の外板は前記両端部のそれぞれに設けられた被固定部位（１４０ａ）が一対の前記第１の外板のそれぞれに固定具（１４４）によって固定された装着状態において、前記被固定部位に対して前記中央部とは反対側に位置する前記両端部の先端部分が前記第１の外板に接触している冷房送風装置。
【請求項４】
前記第２の外板は、前記両端部および前記中央部が並ぶ幅方向に対して直交する上下方向について上端部（１４２）が前記第１の外板の前記端部と前記筐体の一部である天井壁（１１）とで挟まれて支持され、下端部（１４３）が前記筐体の一部である底壁（１５）に固定されている請求項１から請求項３のいずれか一項に記載の冷房送風装置。
【請求項５】
前記第２の外板は、前記両端部および前記中央部が並ぶ幅方向に対して直交する上下方向に間隔をあけて並んで設けられて、それぞれ前記固定具によって固定されている複数の前記被固定部位を備える請求項１から請求項４のいずれか一項に記載の冷房送風装置。
【請求項６】
前記第２の外板は、前記上下方向の長さの全体にわたって、前記両端部の前記先端部分が前記第１の外板に接触している請求項５に記載の冷房送風装置。
【請求項７】
前記第２の外板は、ロールベンダーによって全体的に前記湾曲形状に形成された金属製の板材である請求項１に記載の冷房送風装置。
【発明の詳細な説明】
【技術分野】
【０００１】
この明細書における開示は、冷房送風装置に関する。
【背景技術】
【０００２】
特許文献１は、筐体の内部に、冷凍サイクルの空調機能部品である、蒸発器、凝縮器、圧縮機、送風装置等を収容する冷房送風装置を開示している。
【先行技術文献】
【特許文献】
【０００３】
【特許文献１】特開平５−２４０４５９号公報
【発明の概要】
【発明が解決しようとする課題】
【０００４】
特許文献１の冷房送風装置において筐体は複数の板状部材を組み合わせて形成している。冷房送風装置では、圧縮機等の運転によって筐体が振動して騒音等が発生することがある。
【０００５】
開示される目的は、筐体の振動抑制が図れる冷房送風装置を提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、ひとつの態様として後述する実施形態に記載の具体的手段との対応関係を示す一例であって、技術的範囲を限定するものではない。
【０００７】
開示された冷房送風装置のひとつは、蒸発器（２１）、凝縮器（２４）、圧縮機（２３）、送風装置（３０）、およびこれらの機器を収容する筐体（１０）を備えて、蒸発器を通過した空気を送風装置によって筐体の外部に吹き出す冷房送風装置であって、
筐体は、互いに対向して離間した位置に設置された一対の第１の外板（１２，１３）と、一対の第１の外板に隣接する位置の両端部（１４０）よりも中央部（１４１）の方が外方に位置する湾曲形状に全体的に形成された第２の外板であって両端部が一対の第１の外板のそれぞれの端部（１２０，１３０）に外部から重なるように一対の第１の外板に装着される第２の外板（１４）と、を含んでおり、
第２の外板は両端部のそれぞれに設けられた被固定部位（１４０ａ）が一対の第１の外板のそれぞれに固定具（１４４）によって固定された装着状態において、被固定部位に対して中央部とは反対側に位置する両端部の先端部分が第１の外板に接触している。
【０００８】
この冷房送風装置によれば、第２の外板が全体的に湾曲形状であるため、固定具で第２の外板を一対の第１の外板のそれぞれに固定した装着状態において、第２の外板の両端部の先端部分が一対の第１の外板のそれぞれの端部に対して接触した状態に寄与する。さらに、装着状態で第２の外板の先端部分が第１の外板の端部を押す押力と第１の外板の端部が第２の外板の先端部分を押し返す反力とがバランスするので、第２の外板の先端部分が第１の外板の端部とが接触する状態を維持することに寄与する。これにより、第２の外板の両端部の先端部分が第１の外板の端部と触れ合ったり離れたりする挙動を妨げるので、筐体の振動抑制が図れる冷房送風装置を提供できる。また、振動に起因するびびり音の発生を抑えることができる。
【０００９】
開示された冷房送風装置のひとつは、蒸発器（２１）、凝縮器（２４）、圧縮機（２３）、送風装置（３０）、およびこれらの機器を収容する筐体（１０）を備えて、蒸発器を通過した空気を送風装置によって筐体の外部に吹き出す冷房送風装置であって、
筐体は、互いに対向して離間した位置に設置された一対の第１の外板（１２，１３）と、一対の第１の外板に隣接する位置の両端部（１１４０）が平面をなす中央部（１１４１）に対して第１の外板に近づくように湾曲形状に形成された第２の外板であって両端部が一対の第１の外板のそれぞれの端部（１２０，１３０）に外部から重なるように一対の第１の外板に装着される第２の外板（１１４）と、を含んでおり、
第２の外板は両端部のそれぞれに設けられた被固定部位（１４０ａ）が一対の第１の外板のそれぞれに固定具（１４４）によって固定された装着状態において、被固定部位に対して中央部とは反対側に位置する両端部の先端部分が第１の外板に接触している。
【００１０】
この冷房送風装置によれば、第２の外板の両端部が湾曲形状であるため、固定具で第２の外板を一対の第１の外板のそれぞれに固定した装着状態において、第２の外板の両端部の先端部分が一対の第１の外板のそれぞれの端部に対して接触した状態に寄与する。さらに、装着状態で第２の外板の先端部分が第１の外板の端部を押す押力と第１の外板の端部が第２の外板の先端部分を押し返す反力とがバランスするので、第２の外板の先端部分と第１の外板の端部との接触状態を維持することに寄与する。これにより、第２の外板の両端部の先端部分が第１の外板の端部と触れ合ったり離れたりする挙動を妨げるので、筐体の振動抑制が図れる冷房送風装置を提供できる。また、振動に起因するびびり音の発生を抑えることができる。
【００１１】
開示された冷房送風装置のひとつは、蒸発器（２１）、凝縮器（２４）、圧縮機（２３）、送風装置（３０）、およびこれらの機器を収容する筐体（１０）を備えて、蒸発器を通過した空気を送風装置によって筐体の外部に吹き出す冷房送風装置であって、
筐体は、互いに対向して離間した位置に設置された一対の第１の外板（１２，１３）と、一対の第１の外板に隣接する位置の両端部（２１４０）が平面をなす中央部（２１４１）に対して第１の外板に近づくように屈曲する形状に形成された第２の外板であって両端部が一対の第１の外板のそれぞれの端部（１２０，１３０）に外部から重なるように一対の第１の外板に装着される第２の外板（２１４）と、を含んでおり、
第２の外板は両端部のそれぞれに設けられた被固定部位（１４０ａ）が一対の第１の外板のそれぞれに固定具（１４４）によって固定された装着状態において、被固定部位に対して中央部とは反対側に位置する両端部の先端部分が第１の外板に接触している。
【００１２】
この冷房送風装置によれば、第２の外板の両端部が屈曲する形状であるため、固定具で第２の外板を一対の第１の外板のそれぞれに固定した装着状態において、第２の外板の両端部の先端部分が一対の第１の外板のそれぞれの端部に対して接触した状態に寄与する。さらに、装着状態で第２の外板の先端部分が第１の外板の端部を押す押力と第１の外板の端部が第２の外板の先端部分を押し返す反力とがバランスするので、第２の外板の先端部分と第１の外板の端部との接触状態を維持することに寄与する。これにより、第２の外板の両端部の先端部分が第１の外板の端部と触れ合ったり離れたりする挙動を妨げるので、筐体の振動抑制が図れる冷房送風装置を提供できる。また、振動に起因するびびり音の発生を抑えることができる。
【図面の簡単な説明】
【００１３】
【図１】第１実施形態の冷房送風装置について吸込部側を示した斜視図である。
【図２】背面板を外した状態の冷房送風装置について背面側を示した斜視図である。
【図３】第１実施形態の冷房送風装置の側面図である。
【図４】第１実施形態の冷房送風装置の背面図である。
【図５】背面板を外した状態の冷房送風装置を示した背面図である。
【図６】背面板と一対の側面板との固定に関わる構成を示した斜視図である。
【図７】背面板と上面板および一対の側面板との固定に関わる構成を示した部分断面図である。
【図８】背面板の下端部をベース部で支持する構成を示した部分断面図である。
【図９】背面板の下端部をベース部に固定する構成を示した部分断面図である。
【図１０】一対の側面板に対して背面板をねじ締め固定する直前の状態を示した部分断面図である。
【図１１】一対の側面板に対して背面板をねじ締め固定した状態を示した部分図である。
【図１２】一対の側面板に対して背面板をねじ締め固定した状態を示した部分図である。
【図１３】比較例としての背面板を一対の側面板にねじ締め固定した状態を示した部分図である。
【図１４】第２実施形態において、一対の側面板に対して背面板をねじ締め固定する直前の状態を示した部分断面図である。
【図１５】第２実施形態において、一対の側面板に対して背面板をねじ締め固定した状態を示した部分図である。
【図１６】第３実施形態において、一対の側面板に対して背面板をねじ締め固定する直前の状態を示した部分断面図である。
【図１７】第３実施形態において、一対の側面板に対して背面板をねじ締め固定した状態を示した部分図である。
【発明を実施するための形態】
【００１４】
以下に、図面を参照しながら本開示を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各形態で具体的に組み合わせが可能であることを明示している部分同士の組み合わせばかりではなく、特に組み合わせに支障が生じなければ、明示していなくても形態同士を部分的に組み合せることも可能である。
【００１５】
（第１実施形態）
第１実施形態の冷房送風装置１について、図１〜図１３を参照して説明する。各図には、冷房送風装置１の上下方向である方向ＶＤ、幅方向である方向ＷＤ、奥行方向である方向ＤＤが図示されている。方向ＶＤは、冷房送風装置１を床面や地面に設置した場合に、鉛直方向と実質一致する方向である。方向ＷＤおよび方向ＤＤは、方向ＶＤに垂直な方向である。方向ＷＤと方向ＤＤは、互いに垂直な方向である。
【００１６】
冷房送風装置１は、冷房対象とする人、物等に対して冷房風を送風することで局所的な冷房を提供するスポットクーラである。冷房送風装置１は、使用する場所の床面や地面に載置された状態で使用されている。冷房送風装置１は、車輪部７０によって使用者がその載置場所を容易に移動させることが可能となっている。冷房送風装置１は、移動可能であり、使用者の所望の場所において冷房を提供することができるスポットクーラである。冷房送風装置１は、冷凍サイクルを提供するための複数の冷凍サイクル機能部品と、冷凍サイクルによって冷却された空気を冷房風として送風する送風装置３０と、複数の冷凍サイクル機能部品および送風装置３０を収容するための筐体１０と、を有する。
【００１７】
筐体１０は、例えば方向ＶＤに長い略直方体状の箱体である。筐体１０は、図１〜図５に示すように、方向ＶＤおよび方向ＤＤに平行な外装面を有する２つの側面板１２、側面板１３と、方向ＶＤおよび方向ＷＤに平行な外装面を有する背面板１４とを有する。筐体１０は、背面板１４と方向ＤＤにおいて反対側の面に吸込部１６を有する。吸込部１６は、外部の空気が筐体１０の内部に吸い込まれる際に通過する部分である。吸込部１６は、例えば塵、埃等の異物を補足するフィルタによって提供される。筐体１０の上面は、上面板１１によって覆われている。筐体１０の下面は、ベース部１５によって覆われている。
【００１８】
上面板１１は、例えば金属製の板部材または樹脂製の部品によって構成された天井壁である。上面板１１は、筐体１０の内部に吸い込まれた空気が吹き出される開口部が２つ設けられている。２つの開口部のうち一方は、蒸発器２１を通過した空気が吹き出される第１開口部である。第１開口部には、例えばダクト４０が接続されている。したがって、第１開口部を通過した空気はダクト４０の内部を通過して外部へと吹き出されるようになっている。ダクト４０は、例えば蛇腹状に構成されており、その吹出向きを自在に変えることができる。ダクト４０は、その吹出向きを周期的に自動で変更可能な首振り機構を有していてもよい。また、第１開口部およびダクトは複数設けられていてもよい。２つの開口部のうち他方は、凝縮器２４を通過した空気が吹き出される第２開口部１１ｂである。第２開口部１１ｂは、冷凍サイクルで発生した排熱を外部へと放出するための放出口である。
【００１９】
冷凍サイクルは、複数の冷凍サイクル機能部品を備えている。複数の冷凍サイクル機能部品とは、例えば蒸発器２１、凝縮器２４、圧縮機２３、アキュムレータ２２、キャピラリチューブ等である。複数の冷凍サイクル機能部品は、配管によって環状に接続されており、冷媒が循環可能となっている。
【００２０】
蒸発器２１は、吸込部１６に方向ＤＤにおいて隣接して設けられ、吸込部１６を通過した直後の空気が通過可能となるように配置されている。蒸発器２１には、吸込部１６の上部を通過した空気が通過する。凝縮器２４は、蒸発器２１と方向ＶＤに並んで配置されている。凝縮器２４は、蒸発器２１の下方に設けられている。凝縮器２４および蒸発器２１は、その厚み方向が方向ＤＤと一致する向きで、方向ＶＤに並んで設けられている。凝縮器２４および蒸発器２１は、吸込部１６に隣接して筐体１０の内部に収容されている。凝縮器２４には、吸込部１６の下部から吸い込まれた空気が通過する。圧縮機２３は、ベース部１５に固定されて設けられている。アキュムレータ２２は、圧縮機２３に固定されて設けられている。
【００２１】
送風装置３０は、回転駆動により空気を送風する２つのファンと、２つのファンを回転駆動するモータと、２つのファンおよびモータを収容するケーシングと、を有する。送風装置３０は、上面板１１の下方で蒸発器２１に隣接して設けられている。送風装置３０は、吸込部１６から空気を吸い込み外部へと吹き出すための送風装置である。２つのファンのうちの一方は、蒸発器２１を通過する空気を送風する第１ファンである。送風装置３０は、蒸発器２１を通過して冷却された空気を冷房風として送風する。２つのファンのうちの他方は、凝縮器２４を通過する空気を送風する第２ファンである。第１ファンおよび第２ファンは、遠心多翼ファンによって提供される。または、軸流ファン、斜流ファン等によって提供されてもよい。第１ファンと第２ファンは、例えばそれぞれの軸方向を方向ＤＤと実質一致させて、方向ＤＤに並ぶようにケーシング内に設けられている。第１ファンは方向ＤＤにおいて第２ファンよりも吸込部１６側に設けられている。第２ファンは方向ＤＤにおいて第１ファンよりも背面板１４側に設けられている。
【００２２】
モータは、その回転軸の両端から回転運動を外部に伝達可能な両軸モータである。モータは、回転軸の一方の端部に第１ファンが取り付けられ、他方の端部に第２ファンが取り付けられている。モータは、回転軸の軸方向が方向ＤＤと実質一致するようにケーシングの内部に収容されている。ケーシングは、第１ファンにより送風される空気を吹き出す第１吹出口と、第２ファンにより送風される空気を吹き出す第２吹出口と、第１ファンに空気を吸い込む第１吸込口と、第２ファンに空気を吸い込む第２吸込口と、を有する。第１吹出口は、上面板１１の第１開口部と連通している。第２吹出口は、上面板１１の第２開口部１１ｂと連通している。第１吸込口は、吸込部１６の上部に対向している。第２吸込口は、ケーシングにおいて第１ファン側に設けられている。
【００２３】
タンク６０は、蒸発器２１において結露により発生した水を貯留する貯留部である。タンク６０は、例えば樹脂によって形成されている。タンク６０は、箱体状に形成されている。タンク６０は、ベース部１５に載置された状態で冷房送風装置１に収容されている。タンク６０は、仕切部１７およびベース部１５によって区画された収容空間に収容されている。タンク６０は、使用者が把持するための把持部を有する。タンク６０は、使用者が容易に収容空間から取り出したり収容空間に収容したりすることが可能である。タンク６０は、冷房送風装置１に設けられたタンク取出開口部１９から筐体１０の外部に取り出される。タンク６０は、外部からタンク取出開口部１９を通して収容空間に収容することができる。タンク取出開口部１９は、ベース部１５および仕切部１７の方向ＤＤにおける手前側の端部によって形成される。ここで手前側とは、冷房送風装置１において吸込部１６を正面視した際の手前側である。
【００２４】
ベース部１５は、例えば金属製の板状部材または樹脂製の部品で構成された底壁である。ベース部１５の下面には、複数の車輪部７０が取り付けられている。車輪部７０は、使用者が冷房送風装置１を押したり引いたりするなどして移動させるための部材であり、キャスターともいう。ベース部１５には圧縮機２３が取り付けられる。ベース部１５にはタンク６０が載置されている。
【００２５】
冷房送風装置１は、圧縮機２３や送風装置３０といった回転駆動部、往復運動部等を備える装置を内蔵しているため、この装置の運転時には振動が伝達し、筐体１０においてびびり音が発生することがある。このびびり音は、周囲に不安感を与えたり、騒音になることがある。したがって、振動に起発生に伴い、筐体１０を構成する部材と部材とが触れ合ったり離れたりすることを抑制できる冷房送風装置が求められている。そこで、第１実施形態の冷房送風装置１は、筐体１０を構成する複数の外板の固定部についてびびり音を抑制することができる構成を備えている。この構成の一例として、背面板１４と一対の側面板１２，１３との固定部に関して以下に説明する。
【００２６】
図６に示すように、背面板１４は、筐体１０を構成する上面板１１、ベース部１５、および一対の側面板１２，１３に対して、挟持支持手段、固定具等を用いて支持、固定されて、筐体１０の一部を構成する。一対の側面板１２と側面板１３は、方向ＷＤである横の幅方向に互いに対向して離間した位置に設置された一対の第１の外板である。固定具は、例えば、ねじ、ボルト等の螺合手段、クリップ、凸部が孔部や凹部と嵌め合う手段、爪部が孔部や凹部との係合する手段等によって構成することができる。
【００２７】
背面板１４は、幅方向の両端部１４０、上端部１４２および下端部１４３からなる四辺を有する矩形状の板材である。背面板１４は、横の幅方向について、中央部１４１が両端部１４０に対して膨らむように湾曲する形状である。背面板１４は、一対の側面板１２と側面板１３に隣接する位置の両端部１４０よりも中央部１４１の方が外方に位置する湾曲形状に全体的に形成されている板材である。背面板１４は、図６や図１０に図示する状態、すなわち、固定具等で固定していない状態では横の幅方向について湾曲形状をなしている。背面板１４は、幅方向に対して直交する上下方向については、下端部１４３から上端部１４２にかけて直線状に延びる形状をなしている。したがって、背面板１４は、中央部１４１を固定して、上端部１４２と下端部１４３とに表面に対して垂直な同方向に外力を与える曲げに対して撓みにくく、両端部１４０に対して同方向に外力を与える曲げに対しては容易に撓むような剛性を有している。
【００２８】
背面板１４は、局所的または全体的に与えられる外力がある値を超えると塑性変形するが、その値以下の外力では弾性変形する剛性を有している。また、背面板１４は、湾曲部分が平面をなすように塑性変形した場合でも、撓みやすい板材であることや、スプリングバックするため、元の湾曲形状に戻ろうとする機能を持っている。この機能のため、背面板１４は、固定具で固定した場合でも、その部分または周囲が湾曲形状に戻ろうとする。背面板１４の湾曲形状は、プレス加工、ロールベンダーを用いた加工によって形成することができる。なお、背面板１４には、剛性向上のために、その外周縁部に、特に両端部１４０にヘミング曲げ、絞り曲げ等の加工を施す必要がない。
【００２９】
背面板１４は、両端部１４０に、貫通する複数の取付孔１４０ａをそれぞれ有している。取付孔１４０ａは、固定具の軸部が挿通可能な内径に設定されている。両端部１４０の一方の端部には、上下方向に間隔をあけて並ぶ３個の取付孔１４０ａが設けられ、他方の端部には同様の個数の取付孔１４０ａが同じ高さ位置に設けられている。側面板１２には、端部に、背面板１４の両端部の一方を固定するための固定板部１２０が設けられている。固定板部１２０は、側面板１２の端部を直角に折り曲げて形成することができる。固定板部１２０には、背面板１４の複数の取付孔１４０ａと一致する位置にねじ穴１２０ａが貫通して設けられている。ねじ穴１２０ａには、固定具として機能するねじ１４４の雄ねじ部が螺合する。同様に、側面板１３には、端部に、背面板１４の両端部の他方を固定するための固定板部１３０が設けられている。固定板部１３０は、側面板１３の端部を直角に折り曲げて形成することができる。固定板部１３０には、背面板１４の複数の取付孔１４０ａと一致する位置にねじ穴１３０ａが貫通して設けられている。ねじ穴１３０ａには、固定具として機能するねじ１４４の雄ねじ部が螺合する。
【００３０】
背面板１４は、両端部１４０が一対の側面板１２，１３のそれぞれの固定板部１２０，１３０に外部から重なるように位置決めされた状態で、一対の側面板１２，１３に装着される。図７に示すように、背面板１４の上端部１４２は、側面板１２側の上部において、上面板１１の外周から下方に向けて突出するガイド部１１ａと固定板部１２０の上部とに挟まれて支持されている。背面板１４の上端部１４２は、側面板１３側の上部において、ガイド部１１ａと固定板部１３０の上部とに挟まれて支持されている。上端部１４２付近においては、ガイド部１１ａと一対の側面板１２，１３の固定板部１２０，１３０とで上端部１４２が挟持されるで、反力として、背面板１４の両端部１４０が固定板部１２０，１３０を押し返し、中央部１４１がガイド部１１ａを押し返す（図７参照）。この作用により、背面板１４を上端部１４２付近において安定的に支持することができる。以上の構成により、背面板１４は、上端部１４２において、幅方向に延びる全体が上面板１１等に対して固定されている被固定部位を有する。
【００３１】
図８に示すように、背面板１４の下端部１４３は、ベース部１５の外周部に設けられた溝部に嵌るようにして支持されている。さらに背面板１４の下端部１４３は、ベース部１５の外周部に部分的に上方に突出するように設けられたガイド部１５１，１５２のそれぞれに支持されている。下端部１４３には、ガイド部１５１とガイド部１５２によって支持される部分に半円状にへこむ凹部１４３ｂが形成されている。ガイド部１５２には、冷房送風装置１に交流電圧を投入するためのコンセントを端部に有する電源コード１８が挿通されている。このようにガイド部１５２には、コード通し用の孔部が形成されている。
【００３２】
図６および図９に示すように、背面板１４の下端部１４３には、ガイド部１５１とガイド部１５２との間に、取付孔１４３ａが設けられている。ベース部１５には、下端部１４３の取付孔１４３ａと一致する位置にねじ穴１５０が設けられている。ねじ穴１５０には、固定具として機能するねじ１４４の雄ねじ部が螺合する。以上の構成により、背面板１４は、下端部１４３において、２か所の凹部１４３ｂとねじ穴１５０とがベース部１５に対して固定されている被固定部位となる。
【００３３】
次に、図１０〜図１２を参照して、背面板１４の両端部１４０と一対の側面板１２，１３との固定に係る構成および作用について説明する。図１０は、一対の側面板１２，１３それぞれの固定板部１２０，１３０に両端部１４０を当接させた状態の背面板１４を示している。図１１は、背面板１４の両端部１４０をねじ１４４によって一対の側面板１２，１３それぞれの固定板部１２０，１３０に固定した状態を示している。図１２は、背面板１４の両端部１４０を上下方向に並ぶ複数のねじ１４４によって側面板１２の固定板部１２０に固定した状態を示している。背面板１４の両端部１４０を上下方向に並ぶ複数のねじ１４４によって側面板１３の固定板部１３０に固定した場合も図１２に示す状態と同様である。
【００３４】
図１０に示すように、背面板１４の両端部１４０を固定板部１２０，１３０に近づけていき両端部１４０が固定板部１２０，１３０に接触し、さらに押力Ｔ１で背面板１４を押すと、両端部１４０の先端部分が固定板部１２０，１３０を押力Ｔ２で押すことになる。この押力Ｔ２は、背面板１４が全体的に湾曲形状に形成されているために固定板部１２０，１３０に対して作用させることができる。押力Ｔ２が固定板部１２０，１３０に作用することにより、固定板部１２０，１３０は両端部１４０の先端部分に対して反力Ｒ１を与えている。つまり、背面板１４の両端部１４０を固定板部１２０，１３０に固定する作業において、側面板１２，１３と背面板１４との間には押力Ｔ２と反力Ｒ１とが作用している。
【００３５】
複数のねじ１４４によって背面板１４を側面板１２，１３に締め付け固定すると、取付孔１４０ａの周辺部とねじ穴１２０ａ，１３０ａの周辺部とが密着し、両端部１４０が固定板部１２０，１３０にほぼ面接触するように、背面板１４が幅方向であるＷＤ方向について変形する（図１１参照）。図１１に示す側面板１２，１３と背面板１４との装着状態において、両端部１４０の先端部分は、側面板１２，１３の固定板部１２０，１３０に接触している。この接触状態には、押力Ｔ２と反力Ｒ１との作用が大きく寄与している。また、装着状態である背面板１４は、前述した複数のねじ１４４、ベース部１５、上面板１１等によって拘束されていることもあり、部分的に突出するような形状でなく全体的に平板状を呈している。
【００３６】
このような接触状態は、図１２に示すように、ねじ１４４によって固定されている各部においても同様である。したがって、側面板１２，１３と背面板１４との装着状態において、両端部１４０の先端部分は、上下方向のほぼ全体にわたって、側面板１２，１３の固定板部１２０，１３０に接触している。冷房送風装置１は、背面板１４の両端部１４０において上下方向に配した複数の固定具を用いて固定手段を構成することにより、上下方向のほぼ全体にわたって両端部１４０の先端部分を側面板１２，１３の固定板部１２０，１３０に接触させている。
【００３７】
図１３に示す比較例としての背面板１４００は全体が平面をなす平板である。つまり、背面板１４００は、背面板１４とは異なり、単に平板を所定の形状に切り出し、所定位置にねじ１４４を挿通させるための取付孔を形成した部材である。このような形状の背面板１４００を側面板１２，１３の固定板部１２０，１３０にねじ１４４によって締め付け固定すると、両端部１４０１の先端部分が固定板部１２０，１３０から離れるように反り返るようになり、隙間Ｃ１が生じる。この現象は、ねじ１４４の締め付けにより、取付孔１４０ａの周辺部とねじ穴１２０ａの周辺部とが密着するために、両端部１４０においてスプリングバックが起こることに起因する。
【００３８】
両端部１４０１の先端部分が固定板部１２０，１３０から離間する状態で、冷房送風装置を運転すると、圧縮機２３等の振動によって両端部１４０１の先端部分が振動して、びびり音が発生することが考えられる。第１実施形態の冷房送風装置１は、固定前に全体にわたって湾曲形状である背面板１４を備えることにより、比較例における問題点を解消できる特有の効果を奏する。
【００３９】
次に第１実施形態の冷房送風装置１がもたらす作用効果について説明する。冷房送風装置１は、蒸発器２１、凝縮器２４、圧縮機２３、送風装置３０、およびこれらの機器を収容する筐体１０を備えている。筐体１０は、互いに対向して離間した位置に設置された一対の側面板１２，１３と、一対の側面板１２，１３に隣接する位置の両端部１４０よりも中央部１４１の方が外方に位置する湾曲形状に全体的に形成された背面板１４とを含む。背面板１４は、両端部１４０が一対の側面板１２，１３の各固定板部１２０，１３０に外部から重なるように一対の側面板１２，１３に装着されている。背面板１４は、各両端部１４０の取付孔１４０ａが一対の側面板１２，１３のそれぞれにねじ１４４によって固定された装着状態において、取付孔１４０ａに対して中央部１４１とは反対側に位置する両端部１４０の先端部分が側面板１２，１３に接触する。
【００４０】
この冷房送風装置１によれば、背面板１４が全体的に湾曲形状であるため、ねじ１４４で背面板１４を一対の側面板１２，１３のそれぞれに固定した装着状態において、背面板１４の両端部１４０の先端部分が各側面板１２，１３の端部に対して接触した状態に寄与する。さらに、装着状態で背面板１４の先端部分が各側面板１２，１３の端部を押す押力と各側面板１２，１３の端部が背面板１４の先端部分を押し返す反力とがバランスする。このため、背面板１４の先端部分が各側面板１２，１３の端部とが接触する状態を維持することに寄与する。これにより、背面板１４の両端部の先端部分が各側面板１２，１３の端部に対して触れ合ったり離れたりする挙動を妨げることができる。したがって、筐体１０の振動抑制が図れる冷房送風装置１が得られる。また、振動に起因するびびり音の発生を抑えることができる冷房送風装置１が得られる。
【００４１】
また、冷房送風装置１によれば、背面板１４の先端部分と各側面板１２，１３の端部とが接触するため、背面板１４と各側面板１２，１３との間に外観上、大きな隙間が生じない。したがって、見栄えがよく製品性の高い冷房送風装置１を提供できる。
【００４２】
背面板１４は、両端部１４０および中央部１４１が並ぶ幅方向に対して直交する上下方向について上端部１４２が側面板１２，１３の端部と筐体１０の一部である上面板１１とで挟まれて支持されている。背面板１４は、下端部１４３が筐体１０の一部であるベース部１５に固定されている。この構成によれば、側面板１２，１３と背面板１４との装着におけるびびり音を抑制しつつ、背面板１４を上端部１４２と下端部１４３において安定的に支持することができる冷房送風装置１を提供できる。
【００４３】
背面板１４は、上下方向に間隔をあけて並んで設けられて、それぞれねじ１４４によって固定されている複数の取付孔１４０ａを備える。この構成によれば、背面板１４の両端部１４０の先端部分と各側面板１２，１３の端部とを上下方向にわたって接触させることができる。このため、背面板１４と各側面板１２，１３との間に外観上、大きな隙間が生じない冷房送風装置１を提供できる。
【００４４】
背面板１４は、上下方向の長さの全体にわたって、両端部１４０の先端部分が側面板１２，１３のそれぞれに接触している。この構成によれば、背面板１４の両端部１４０の先端部分と各側面板１２，１３の端部とを背面板１４の上下方向長さ全体にわたって接触するので、外観を損なわずに、背面板１４と各側面板１２，１３との間に発生するびびり音を抑制する冷房送風装置１を提供できる。
【００４５】
（第２実施形態）
第２実施形態では、第１実施形態の背面板１４の他の形態である背面板１１４について図１４および図１５を参照して説明する。第２実施形態は、背面板１１４を除く構成要素が第１実施形態と同様であり、同様の作用効果を奏するものである。以下、第１実施形態と相違する内容について説明する。
【００４６】
背面板１１４は、一対の側面板１２と側面板１３に隣接する位置の両端部１１４０が、平面をなす中央部１１４１に対して一対の側面板１２，１３に近づくように湾曲する形状に形成されている板材である。したがって、背面板１１４は、両端部１１４０において湾曲形状を備え、中央部１１４１を含む両端部１１４０の間において平面をなしている。
【００４７】
背面板１１４は、幅方向に対して直交する上下方向については、下端部１４３から上端部１４２にかけて直線状に延びる形状をなしている。したがって、背面板１１４は、中央部１１４１を固定して、上端部１４２と下端部１４３とに表面に対して垂直な同方向に外力を与える曲げに対して撓みにくく、両端部１１４０に対して同方向に外力を与える曲げに対しては前者よりも撓みやすい剛性を有している。
【００４８】
背面板１１４は、局所的または全体的に与えられる外力がある値を超えると塑性変形するが、その値以下の外力では弾性変形する剛性を有している。また、背面板１１４は、湾曲部分が平面をなすように塑性変形した場合でも、スプリングバックするため、元の形状に戻ろうとする機能を持っている。この機能のため、背面板１１４は、固定具で固定した場合でも、その部分または周囲が湾曲形状に戻ろうとする。背面板１１４の両端部１１４０における湾曲形状は、プレス加工、ロールベンダーを用いた加工によって形成することができる。
【００４９】
図１４および図１５を参照して、背面板１１４の両端部１１４０と一対の側面板１２，１３との固定に係る構成および作用について説明する。図１４は、一対の側面板１２，１３それぞれの固定板部１２０，１３０に両端部１１４０を当接させた状態の背面板１１４を示している。図１５は、背面板１１４の両端部１１４０をねじ１４４によって一対の側面板１２，１３それぞれの固定板部１２０，１３０に固定した状態を示している。
【００５０】
図１４に示すように、背面板１１４の両端部１１４０を固定板部１２０，１３０に近づけていき両端部１１４０が固定板部１２０，１３０に接触し、さらに押力Ｔ１で背面板１１４を押すと、両端部１１４０の先端部分が固定板部１２０，１３０を押力Ｔ２で押すことになる。この押力Ｔ２は、背面板１１４の両端部１１４０が湾曲形状に形成されているために固定板部１２０，１３０に対して作用させることができる。押力Ｔ２が固定板部１２０，１３０に作用することにより、固定板部１２０，１３０は両端部１１４０の先端部分に対して反力Ｒ１を与えている。つまり、背面板１１４の両端部１１４０を固定板部１２０，１３０に固定する作業において、側面板１２，１３と背面板１１４との間には押力Ｔ２と反力Ｒ１とが作用している。
【００５１】
複数のねじ１４４によって背面板１１４を側面板１２，１３に締め付け固定すると、取付孔１４０ａの周辺部とねじ穴１２０ａ，１３０ａの周辺部とが密着し、さらに両端部１１４０の先端部分が固定板部１２０，１３０に接触するように、背面板１１４がＷＤ方向について変形する（図１５参照）。この接触状態には、押力Ｔ２と反力Ｒ１との作用が大きく寄与している。
【００５２】
第２実施形態の冷房送風装置１によれば、背面板１１４は、一対の側面板１２，１３に隣接する位置の両端部１１４０が平面をなす中央部１１４１に対して一対の側面板１２，１３に近づくように湾曲形状に形成されている。背面板１１４は、各両端部１１４０の取付孔１４０ａが各側面板１２，１３にねじ１４４によって固定された装着状態において、取付孔１４０ａに対して両端部１１４０の先端部分が側面板１２，１３に接触する。
【００５３】
この冷房送風装置１によれば、ねじ１４４で背面板１１４を一対の側面板１２，１３のそれぞれに固定した装着状態において、背面板１１４の両端部１１４０の先端部分が各側面板１２，１３の端部に対して接触した状態に寄与する。さらに、装着状態で背面板１１４の先端部分が各側面板１２，１３の端部を押す押力と各側面板１２，１３の端部が背面板１１４の先端部分を押し返す反力とがバランスするので、背面板１１４の先端部分と各側面板１２，１３の端部との接触状態を維持することに寄与する。これにより、背面板１１４の両端部１１４０の先端部分が各側面板１２，１３の端部と触れ合ったり離れたりする挙動を妨げるので、筐体１０の振動抑制が図れる冷房送風装置１を提供でき、また振動に起因するびびり音の発生を抑えることができる。
【００５４】
また、第２実施形態の冷房送風装置１によれば、背面板１１４の先端部分と各側面板１２，１３の端部とが接触するため、背面板１１４と各側面板１２，１３との間に外観上、大きな隙間が生じない。このため、見栄えがよく製品性の高い冷房送風装置１を提供できる。
【００５５】
（第３実施形態）
第３実施形態では、第１実施形態の背面板１４の他の形態である背面板２１４について図１６および図１７を参照して説明する。第２実施形態は、背面板２１４を除く構成要素が第１実施形態と同様であり、同様の作用効果を奏するものである。以下、前述の実施形態と相違する内容について説明する。
【００５６】
背面板２１４は、一対の側面板１２と側面板１３に隣接する位置の両端部１１４０が、平面をなす中央部１１４１に対して一対の側面板１２，１３に近づくように屈曲する形状に形成されている板材である。したがって、背面板２１４は、両端部２１４０において折れ曲がる形状を備え、中央部２１４１を含む両端部２１４０の間において平面をなしている。
【００５７】
背面板２１４は、幅方向に対して直交する上下方向については、下端部１４３から上端部１４２にかけて直線状に延びる形状をなしている。したがって、背面板２１４は、中央部２１４１を固定して、上端部１４２と下端部１４３とに表面に対して垂直な同方向に外力を与える曲げに対して撓みにくく、両端部２１４０に対して同方向に外力を与える曲げに対しては前者よりも撓みやすい剛性を有している。
【００５８】
背面板２１４は、局所的または全体的に与えられる外力がある値を超えると塑性変形するが、その値以下の外力では弾性変形する剛性を有している。また、背面板２１４は、屈曲部分が平ら面をなすように塑性変形した場合でも、スプリングバックするため、元の形状に戻ろうとする機能を持っている。この機能のため、背面板２１４は、固定具で固定した場合でも、その部分または周囲が元の形状に戻ろうとする。背面板２１４の両端部２１４０における湾曲形状は、プレス加工、機械曲げ加工によって形成することができる。
【００５９】
図１６および図１７を参照して、背面板２１４の両端部２１４０と一対の側面板１２，１３との固定に係る構成および作用について説明する。図１６は、一対の側面板１２，１３それぞれの固定板部１２０，１３０に両端部２１４０を当接させた状態の背面板２１４を示している。図１７は、背面板２１４の両端部２１４０をねじ１４４によって一対の側面板１２，１３それぞれの固定板部１２０，１３０に固定した状態を示している。
【００６０】
図１６に示すように、背面板２１４の両端部２１４０を固定板部１２０，１３０に近づけていき両端部２１４０が固定板部１２０，１３０に接触し、さらに押力Ｔ１で背面板２１４を押すと、両端部１１４０の先端部分が固定板部１２０，１３０を押力Ｔ２で押すことになる。この押力Ｔ２は、背面板２１４の両端部２１４０が屈曲形状に形成されているために固定板部１２０，１３０に対して作用させることができる。押力Ｔ２が固定板部１２０，１３０に作用することにより、固定板部１２０，１３０は両端部２１４０の先端部分に対して反力Ｒ１を与えている。つまり、背面板２１４の両端部２１４０を固定板部１２０，１３０に固定する作業において、側面板１２，１３と背面板２１４との間には押力Ｔ２と反力Ｒ１とが作用している。
【００６１】
複数のねじ１４４によって背面板２１４を側面板１２，１３に締め付け固定すると、取付孔１４０ａの周辺部とねじ穴１２０ａ，１３０ａの周辺部とが密着し、さらに両端部２１４０の先端部分が固定板部１２０，１３０に接触するように、背面板２１４がＷＤ方向について変形する（図１７参照）。この接触状態には、押力Ｔ２と反力Ｒ１との作用が大きく寄与している。
【００６２】
第３実施形態の冷房送風装置１によれば、背面板２１４は、一対の側面板１２，１３に隣接する位置の両端部２１４０が平面をなす中央部２１４１に対して一対の側面板１２，１３に近づくように屈曲する形状に形成されている。背面板２１４は、各両端部２１４０の取付孔１４０ａが各側面板１２，１３にねじ１４４によって固定された装着状態において、取付孔１４０ａに対して両端部２１４０の先端部分が側面板１２，１３に接触する。
【００６３】
この冷房送風装置１によれば、ねじ１４４で背面板２１４を一対の側面板１２，１３のそれぞれに固定した装着状態において、背面板１１４の両端部１１４０の先端部分が各側面板１２，１３の端部に対して接触した状態に寄与する。さらに、装着状態で背面板２１４の先端部分が各側面板１２，１３の端部を押す押力と各側面板１２，１３の端部が背面板２１４の先端部分を押し返す反力とがバランスするので、背面板２１４の先端部分と各側面板１２，１３の端部との接触状態を維持することに寄与する。これにより、背面板２１４の両端部２１４０の先端部分が各側面板１２，１３の端部と触れ合ったり離れたりする挙動を妨げるので、筐体１０の振動抑制が図れる冷房送風装置１を提供でき、また振動に起因するびびり音の発生を抑えることができる。
【００６４】
また、第３実施形態の冷房送風装置１によれば、背面板２１４の先端部分と各側面板１２，１３の端部とが接触するため、背面板２１４と各側面板１２，１３との間に外観上、大きな隙間が生じない。このため、見栄えがよく製品性の高い冷房送風装置１を提供できる。
【００６５】
（他の実施形態）
この明細書の開示は、例示された実施形態に制限されない。開示は、例示された実施形態と、それらに基づく当業者による変形態様を包含する。例えば、開示は、実施形態において示された部品、要素の組み合わせに限定されず、種々変形して実施することが可能である。開示は、多様な組み合わせによって実施可能である。開示は、実施形態に追加可能な追加的な部分をもつことができる。開示は、実施形態の部品、要素が省略されたものを包含する。開示は、ひとつの実施形態と他の実施形態との間における部品、要素の置き換え、または組み合わせを包含する。開示される技術的範囲は、実施形態の記載に限定されない。開示されるいくつかの技術的範囲は、特許請求の範囲の記載によって示され、さらに特許請求の範囲の記載と均等の意味および範囲内での全ての変更を含むものと解されるべきである。
【００６６】
前述の実施形態において、第２の外板である背面板１４は、金属製の板材であるが、その材質はこれに限定されない。第２の外板は、前述の実施形態で説明したような構成、形状、剛性を有していれば、例えば樹脂材料から形成されている部材であってもよい。
【００６７】
前述の実施形態において、冷房送風装置１は、車輪部７０によって使用者が所望の場所に容易に移動できる構成である。これに代えて、冷房送風装置は、車輪部７０を有さない装置としてもよい。
【符号の説明】
【００６８】
１…冷房送風装置、  １０…筐体、  １２…側面板（第１の外板）
１３…側面板（第１の外板）、  １４，１１４，２１４…背面板（第２の外板）
２１…蒸発器、  ２３…圧縮機、  ２４…凝縮器、  ３０…送風装置
１２０，１３０…固定板部（端部）、  １４０，１１４０…両端部
１４０ａ…取付孔（被固定部位）、  １４１，１１４１…中央部
１４４…ねじ（固定具）
【図１】
2018138857.tif 000003
【図２】
2018138857.tif 000004
【図３】
2018138857.tif 000005
【図４】
2018138857.tif 000006
【図５】
2018138857.tif 000007
【図６】
2018138857.tif 000008
【図７】
2018138857.tif 000009
【図８】
2018138857.tif 000010
【図９】
2018138857.tif 000011
【図１０】
2018138857.tif 000012
【図１１】
2018138857.tif 000013
【図１２】
2018138857.tif 000014
【図１３】
2018138857.tif 000015
【図１４】
2018138857.tif 000016
【図１５】
2018138857.tif 000017
【図１６】
2018138857.tif 000018
【図１７】
2018138857.tif 000019